(57)【特許請求の範囲】
【請求項１】
第１のネットワークを介して、放送データ及び放送データの一部を差し替えるための複数の判定条件を記述した選択プログラムを受信する第１の受信手段と、
上記第１のネットワークとは異なる第２のネットワークの通信トラフィックに応じて、上記第２のネットワークとの接続関係を確立し、補助素材データ同士を区別するためのユニークＩＤ情報を含み、上記第１の受信手段で受信した放送データに挿入するための補助素材データを、接続を確立した第２のネットワークを介して受信する第２の受信手段と、
上記第２の受信手段で受信された補助素材データ、ユーザに関するユーザ情報が記憶される記憶手段と、
上記第１の受信手段で受信した選択プログラムの各判定条件と上記ユーザ情報を比較して、放送データに含まれる補助素材部分の差し替え判定をし、当該判定結果、上記各判定条件のうちの何れかを満たす場合には、上記第１の受信手段で受信された放送データに含まれる補助素材部分を、上記第２の受信手段で受信して上記記憶手段に予め記憶された補助素材データに差し替える差し替え制御手段と、
上記差し替え制御手段により差し替えられた補助素材データを含んだ放送データを出力する出力手段と、
上記記憶手段に記憶されている補助素材データの記憶量が所定値を超える場合に、上記補助素材データが上記記憶手段から読み出されて上記出力手段から出力される出力頻度及び上記補助素材データを上記記憶手段に記憶した記憶日時に基づいて、消去対象となる補助素材データを決定し、決定した補助素材データを上記記憶手段から消去する記憶制御手段と
を備えるデータ受信装置。
【請求項２】
上記記憶手段には、
上記ユーザ情報として、放送データの内容を視聴する視聴者の生年月日、性別、職業を含むプロファイル情報と、選択条件に対応するユニークＩＤが割り当てられた補助素材データとが記憶されている請求項１記載のデータ受信装置
【請求項３】
上記差し替え制御手段は、
上記第１の受信手段で受信した選択プログラムの判定条件と上記記憶手段に記憶されたプロファイル情報とを比較して、上記記憶手段に記憶されたプロファイルに選択条件に該当するユーザが存在し、かつ、選択条件に対応するユニークＩＤが割り当てられた補助素材データが上記記憶手段に存在するかによって、放送データに含まれる補助素材部分の差し替えを行うかに関する判定を行い、当該判定結果、上記記憶手段に記憶されたプロファイルに選択条件に該当するユーザが存在し、かつ、選択条件に対応するユニークＩＤが割り当てられた補助素材データが上記記憶手段に存在する場合にのみ、上記第１の受信手段で受信した放送データに含まれる補助素材部分を、上記第２の受信手段で受信して上記記憶手段に予め記憶されている補助素材データに差し替える請求項２記載のデータ受信装置。
【請求項４】
第１のネットワークを介して、放送データ及び放送データの一部を差し替えるための判断条件を記述した選択プログラムを受信し、上記第１のネットワークとは異なる第２のネットワークを介して、放送データに挿入するための補助素材データを予め受信して記憶手段に記憶する書き込みステップと、
ユーザに関するユーザ情報を上記記憶手段に記憶する登録ステップと、
上記第１のネットワークを介して受信した選択プログラムの各判定条件と上記ユーザ情報を比較して、放送データに含まれる補助素材部分の差し替え判定をし、当該判定結果、上記各判定条件のうちの何れかを満たす場合には、上記第１のネットワークを介して受信された放送データに含まれる補助素材部分を、上記第２のネットワークを介して受信して上記記憶手段に予め記憶された補助素材データに差し替える差し替えステップと、
上記差し替えステップで差し替えられた補助素材データを含んだ放送データを出力する出力ステップと、
上記記憶手段に記憶されている補助素材データの記憶量が所定値を超える場合に、上記補助素材データが上記記憶手段から読み出されて上記出力手段から出力される出力頻度及び上記補助素材データを上記記憶手段に記憶した記憶日時に基づいて、消去対象となる補助素材データを決定し、決定した補助素材データを上記記憶手段から消去する消去ステップと
を含むデータ受信方法。
【請求項５】
上記記憶手段には、
上記ユーザ情報として、放送データの内容を視聴する視聴者の生年月日、性別、職業を含むプロファイル情報と、選択条件に対応するユニークＩＤが割り当てられた補助素材データとが記憶されている請求項４記載のデータ受信方法。
【請求項６】
上記差し替え制御ステップでは、
上記第１のネットワークを介して受信した選択プログラムの判定条件と上記記憶手段に記憶されたプロファイル情報とを比較して、上記記憶手段に記憶されたプロファイルに選択条件に該当するユーザが存在し、かつ、選択条件に対応するユニークＩＤが割り当てられた補助素材データが上記記憶手段に存在するかによって、放送データに含まれる補助素材部分の差し替えを行うかに関する判定を行い、当該判定結果、上記記憶手段に記憶されたプロファイルに選択条件に該当するユーザが存在し、かつ、選択条件に対応するユニークＩＤが割り当てられた補助素材データが上記記憶手段に存在する場合にのみ、上記第１のネットワークを介して受信した放送データに含まれる補助素材部分を、上記第２のネットワークを介して受信して上記記憶手段に予め記憶されている補助素材データに差し替える請求項５記載のデータ受信方法。
【請求項７】
第１のネットワークを介して放送データ及び上記放送データの一部を差し替えるための複数の判定条件が記述された選択プログラムを配信する放送局と、
上記第１のネットワークとは異なる第２のネットワークを介して、上記放送データに挿入するための補助素材データを送信する補助素材配布サーバと、
上記第１のネットワークを介して上記放送局と接続し、上記放送局から配信された放送データ及び選択プログラムを受信する第１の受信手段と、上記第２のネットワークの通信トラフィックに応じて、上記補助素材配布サーバとの接続関係を確立し、補助素材データ同士を区別するためのユニークＩＤ情報を含み、上記第１の受信手段で受信した放送データに挿入するための補助素材データを、接続を確立した第２のネットワークを介して補助素材配布サーバから受信する第２の受信手段と、上記第２の受信手段で受信された補助素材データ、ユーザに関するユーザ情報が記憶される記憶手段と、上記第１の受信手段で受信した選択プログラムの各判定条件と上記ユーザ情報を比較して、放送データに含まれる補助素材部分の差し替え判定をし、当該判定結果、上記各判定条件のうちの何れかを満たす場合には、上記第１の受信手段で受信された放送データに含まれる補助素材部分を、上記第２の受信手段で受信して上記記憶手段に予め記憶された補助素材データに差し替える差し替え制御手段と、上記差し替え制御手段により差し替えられた補助素材データを含んだ放送データを出力する出力手段と、上記記憶手段に記憶されている補助素材データの記憶量が所定値を超える場合に、上記補助素材データが上記記憶手段から読み出されて上記出力手段から出力される出力頻度及び上記補助素材データを上記記憶手段に記憶した記憶日時に基づいて、消去対象となる補助素材データを決定し、決定した補助素材データを上記記憶手段から消去する記憶制御手段とを備えるデータ受信装置とを備えるネットワークシステム。
【請求項８】
上記記憶手段には、
上記ユーザ情報として、放送データの内容を視聴する視聴者の生年月日、性別、職業を含むプロファイル情報と、選択条件に対応するユニークＩＤが割り当てられた補助素材データとが記憶されている請求項７記載のネットワークシステム。
【請求項９】
上記差し替え制御手段は、
上記第１の受信手段で受信した選択プログラムの判定条件と上記記憶手段に記憶されたプロファイル情報とを比較して、上記記憶手段に記憶されたプロファイルに選択条件に該当するユーザが存在し、かつ、選択条件に対応するユニークＩＤが割り当てられた補助素材データが上記記憶手段に存在するかによって、放送データに含まれる補助素材部分の差し替えを行うかに関する判定を行い、当該判定結果、上記記憶手段に記憶されたプロファイルに選択条件に該当するユーザが存在し、かつ、選択条件に対応するユニークＩＤが割り当てられた補助素材データが上記記憶手段に存在する場合にのみ、上記第１の受信手段で受信した放送データに含まれる補助素材部分を、上記第２の受信手段で受信して上記記憶手段に予め記憶されている補助素材データに差し替える請求項８記載のネットワークシステム。
【発明の詳細な説明】
【０００１】
【発明の属する技術分野】
本発明は、ディジタル放送において放送されているデータストリームにＣＭ等の補助素材を付加してユーザに提示するデータ受信装置及び方法、ネットワークシステムに関する。
【０００２】
【従来の技術】
テレビ放送やラジオ放送のコマーシャル（ＣＭ）等の補助素材データは、番組本体データと同様に、ユーザ側の受信装置によって放送波として受信されることが多い。受信装置は、受信した番組本体データ及び補助素材データをそのまま表示装置や、放音装置から出力して、視聴者に放送内容を提示する。
【０００３】
【発明が解決しようとする課題】
しかし、同じ放送波を受信している各受信装置では、それぞれ操作する視聴者が異なるため、番組本体とともに伝送されている補助素材に対する情報価値が異なることが多い。したがって、視聴者にとって情報価値の低い補助素材データは、視聴者のみならず、補助素材の提供者にとっても無益なものとなってしまう。
【０００４】
また、放送波中に複数の補助素材データを含ませて、視聴者に応じて切り換える方式が特開平１１−６９２４９号公報などで提案されている。この方式では、番組本体データを伝送するための番組本体用チャンネルと、補助素材データを伝送するための補助素材用チャンネルとを使用し、受信装置側で番組本体用チャンネルと補助素材用チャンネルとを同期又は準同期させてバッファリングして番組本体データと補助素材データとを組み合わせて表示装置等に出力する。
【０００５】
しかし、この方式では、番組本体用チャンネルと他の１チャンネル分の電波帯域に加えて、視聴されることがない補助素材データを伝送するための電波帯域が必要となるため、上述した放送方式よりも多くの周波数資源が必要となるという問題点がある。
【０００６】
そこで、本発明は、上述したような実情に鑑みて提案されたものであり、周波数資源を有効利用するとともに、補助素材データの情報価値を高めることができるデータ受信装置及び方法、ネットワークシステムを提供することを目的とする。
【０００７】
【課題を解決するための手段】
本発明に係るデータ受信装置は、上述の課題を解決するために、第１のネットワークを介して、放送データ及び放送データの一部を差し替えるための複数の判定条件を記述した選択プログラムを受信する第１の受信手段と、上記第１のネットワークとは異なる第２のネットワークの通信トラフィックに応じて、上記第２のネットワークとの接続関係を確立し、補助素材データ同士を区別するためのユニークＩＤ情報を含み、上記第１の受信手段で受信した放送データに挿入するための補助素材データを、接続を確立した第２のネットワークを介して受信する第２の受信手段と、上記第２の受信手段で受信された補助素材データ、ユーザに関するユーザ情報が記憶される記憶手段と、上記第１の受信手段で受信した選択プログラムの各判定条件と上記ユーザ情報を比較して、放送データに含まれる補助素材部分の差し替え判定をし、当該判定結果、上記各判定条件のうちの何れかを満たす場合には、上記第１の受信手段で受信された放送データに含まれる補助素材部分を、上記第２の受信手段で受信して上記記憶手段に予め記憶された補助素材データに差し替える差し替え制御手段と、上記差し替え制御手段により差し替えられた補助素材データを含んだ放送データを出力する出力手段と、上記記憶手段に記憶されている補助素材データの記憶量が所定値を超える場合に、上記補助素材データが上記記憶手段から読み出されて上記出力手段から出力される出力頻度及び上記補助素材データを上記記憶手段に記憶した記憶日時に基づいて、消去対象となる補助素材データを決定し、決定した補助素材データを上記記憶手段から消去する記憶制御手段とを備える。
【０００８】
このようなデータ受信装置は、予め補助素材データを記憶手段に記憶し、放送データを出力手段で出力するに際して、上記第１の受信手段で受信している放送データの一部を補助素材データに差し替える。
【０００９】
本発明に係るデータ受信方法は、上述の課題を解決するために、第１のネットワークを介して、放送データ及び放送データの一部を差し替えるための判断条件を記述した選択プログラムを受信し、上記第１のネットワークとは異なる第２のネットワークを介して、放送データに挿入するための補助素材データを予め受信して記憶手段に記憶する書き込みステップと、ユーザに関するユーザ情報を上記記憶手段に記憶する登録ステップと、上記第１のネットワークを介して受信した選択プログラムの各判定条件と上記ユーザ情報を比較して、放送データに含まれる補助素材部分の差し替え判定をし、当該判定結果、上記各判定条件のうちの何れかを満たす場合には、上記第１のネットワークを介して受信された放送データに含まれる補助素材部分を、上記第２のネットワークを介して受信して上記記憶手段に予め記憶された補助素材データに差し替える差し替えステップと、上記差し替えステップで差し替えられた補助素材データを含んだ放送データを出力する出力ステップと、上記記憶手段に記憶されている補助素材データの記憶量が所定値を超える場合に、上記補助素材データが上記記憶手段から読み出されて上記出力手段から出力される出力頻度及び上記補助素材データを上記記憶手段に記憶した記憶日時に基づいて、消去対象となる補助素材データを決定し、決定した補助素材データを上記記憶手段から消去する消去ステップとを含む。
【００１０】
このようなデータ受信方法は、予め補助素材データを記憶手段に記憶し、放送データを出力するに際して、受信している放送データの一部を補助素材データに差し替える。
【００１１】
本発明に係るネットワークシステムは、上述の課題を解決するために、第１のネットワークを介して放送データ及び上記放送データの一部を差し替えるための複数の判定条件が記述された選択プログラムを配信する放送局と、上記第１のネットワークとは異なる第２のネットワークを介して、上記放送データに挿入するための補助素材データを送信する補助素材配布サーバと、上記第１のネットワークを介して上記放送局と接続し、上記放送局から配信された放送データ及び選択プログラムを受信する第１の受信手段と、上記第２のネットワークの通信トラフィックに応じて、上記補助素材配布サーバとの接続関係を確立し、補助素材データ同士を区別するためのユニークＩＤ情報を含み、上記第１の受信手段で受信した放送データに挿入するための補助素材データを、接続を確立した第２のネットワークを介して補助素材配布サーバから受信する第２の受信手段と、上記第２の受信手段で受信された補助素材データ、ユーザに関するユーザ情報が記憶される記憶手段と、上記第１の受信手段で受信した選択プログラムの各判定条件と上記ユーザ情報を比較して、放送データに含まれる補助素材部分の差し替え判定をし、当該判定結果、上記各判定条件のうちの何れかを満たす場合には、上記第１の受信手段で受信された放送データに含まれる補助素材部分を、上記第２の受信手段で受信して上記記憶手段に予め記憶された補助素材データに差し替える差し替え制御手段と上記差し替え制御手段により差し替えられた補助素材データを含んだ放送データを出力する出力手段と、上記記憶手段に記憶されている補助素材データの記憶量が所定値を超える場合に、上記補助素材データが上記記憶手段から読み出されて上記出力手段から出力される出力頻度及び上記補助素材データを上記記憶手段に記憶した記憶日時に基づいて、消去対象となる補助素材データを決定し、決定した補助素材データを上記記憶手段から消去する記憶制御手段とを備えるデータ受信装置とを備える。
【００１２】
このようなネットワークシステムは、予め補助素材データを補助素材配布サーバからデータ受信装置に送信して記憶手段に記憶し、放送局からの放送データを出力するに際して、受信している放送データの一部を補助素材データに差し替える。
【００１３】
【発明の実施の形態】
以下、本発明の実施の形態について図面を参照しながら詳細に説明する。
【００１４】
本発明は、例えば図１に示すような放送システムに適用される。
【００１５】
この放送システムは、番組を提供する放送局１と、補助素材データを配布する補助素材配布サーバ２と、放送局１と無線ネットワーク１０を介して接続されるとともに補助素材配布サーバ２とインターネット網２０を介して接続された家庭内ネットワーク３とから構成される。
【００１６】
放送局１は、番組本体データを作成し、無線ネットワーク１０を介して家庭内ネットワーク３に番組本体データを配信する。
【００１７】
無線ネットワーク１０は、放送帯域チャンネルを使用して、番組本体データを伝送するネットワークからなる。この無線ネットワーク１０は、放送局１からの番組本体データを中継する中継装置等からなり、番組本体データを家庭内ネットワーク３に配信する。
【００１８】
補助素材配布サーバ２は、放送局１等により設置され、番組本体データに挿入する例えばＣＭ等からなる補助素材データを記憶している。この補助素材配布サーバ２は、例えば補助素材配布サーバ２により他のインターネット網等を介して補助素材データを入力して記憶する。この補助素材配布サーバ２に記憶されている補助素材データは、補助素材データ同士を区別するためのユニークＩＤ情報及び映像と音声のストリームデータを含んでいる。
【００１９】
インターネット網２０は、無線ネットワーク１０で伝送される番組本体データよりもデータ量が少ないＣＭ等の補助素材データを伝送する。
【００２０】
家庭内ネットワーク３は、インターネット網２０と接続されたホームルータ３１、ホームサーバ３２、無線ネットワーク１０と接続されたＳＴＢ３３が家庭内バス３Ａに接続され、更にＳＴＢ３３に表示部３４が接続されて構成されている。この家庭内ネットワーク３において、家庭内バス３Ａは、例えばケーブル等で各機器を接続し、相互に信号の送受信をする。
【００２１】
ホームルータ３１は、ＳＴＢ３３の制御に従って、インターネット網２０と家庭内ネットワーク３との接続制御、データ送受信等を行う。ホームルータ３１は、インターネット網２０を介して補助素材配布サーバ２から送信される補助素材データを受信する。
【００２２】
ホームサーバ３２は、データ記憶機能を備え、ＳＴＢ３３の制御に従って、データ記憶機能に対するデータの書き込み、読み出し、消去をする。
【００２３】
このホームサーバ３２は、記憶している補助素材データが所定値を超えたら、記憶している補助素材データの一部消去をする処理をする。このとき、ホームサーバ３２は、消去対象の補助素材データとして、記憶した日時情報が古いものや表示部３４への表示頻度が低いものを選択する。
【００２４】
ＳＴＢ３３は、図示しない操作入力部を備え、視聴者による操作に応じて、放送局１からの放送波を受信するとともに、受信した放送波をデコードして番組本体データを得る。無線ネットワーク１０を介して放送局１からの番組本体データを受信し、表示部３４に出力する。また、このＳＴＢ３３は、放送局１から番組本体データとともに、差し替え制御プログラムを受信する。
【００２５】
このＳＴＢ３３は、視聴者による操作に応じて、ホームルータ３１を介してインターネット網２０にアクセスする制御をする。ＳＴＢ３３は、ホームルータ３１を制御することで、補助素材データを受信してホームサーバ３２に格納させる。
【００２６】
このＳＴＢ３３は、ホームサーバ３２に格納された視聴者に関するユーザ情報の登録処理をする。ＳＴＢ３３は、ユーザ情報として、視聴者プロファイルを使用するときには、図２に示すようなプロファイル登録用表示画面を表示し、操作入力部の操作に応じて視聴者プロファイル情報を作成し、ホームサーバ３２に記憶する。
【００２７】
ここで、視聴者プロファイルは、表示部３４に表示された内容を視聴する視聴者であって、視聴者の情報を補助素材の選択に反映させたい視聴者により、ＳＴＢ３３の処理により登録される。この視聴者プロファイル情報として登録される情報としては、視聴者の生年月日、性別、職業等である。
【００２８】
また、ＳＴＢ３３は、視聴者プロファイルを複数の視聴者について登録することができ、複数の視聴者全員が、補助素材の選択の条件判断の対象となる。ＳＴＢ３３は、視聴者の操作に応じて、複数の視聴者プロファイルの一部を使用することができ、補助素材の選択時に使用する視聴者プロファイルを限定する。ＳＴＢ３３は、例えば子供に有害番組を視聴させないためのＩＤカードを挿入する挿入機構を備え、ＩＤカードが挿入されているときには子供にとって有害な補助素材を選択しない等の制御をし、視聴している可能性のある人物を限定することができる。
【００２９】
ＳＴＢ３３は、放送波を受信したときには、番組本体データに予め含まれる補助素材データを、ホームサーバ３２に記憶された補助素材データに差し替える処理をする。このとき、ＳＴＢ３３は、差し替え制御プログラムを実行することで、ユーザ情報を参照して番組本体データに挿入する補助素材データを決定し、ホームサーバ３２から決定した補助素材データを読み出して、表示部３４に出力する処理をする。
【００３０】
上記差し替え制御プログラムは、補助素材の選択をするときの条件と、条件に該当したときの補助素材のユニークＩＤ情報とを含んでいる。この差し替え制御プログラムが例えば図３に示すように表現される場合、ＳＴＢ３３は、先ず、第１条件として「３０代男性いる」と記述されているときには視聴者プロファイル情報を参照して視聴者に３０代の男性が含まれていると判定したときにはユニークＩＤが「ＸＸＸＸＸＸ」の補助素材（例えばＣＭ）に差し替える処理をする。ここで、ＳＴＢ３３は、第１選択条件と該当する視聴者プロファイルを検出できなかったときには、次の第２選択条件に進んで同様の判定をする。なお、差し替え制御プログラムにおいて、図３に示す日本語で記載されている部分は、実際にはＳＴＢ３３での解釈を容易にするために、英単語或いは記号で表現される。
【００３１】
上述したような放送システムにおいて、例えば補助素材としてＣＭコンテンツデータを使用する場合の、ＣＭコンテンツデータをホームサーバ３２に記憶するときの処理手順について図４のフローチャートを参照して説明する。
【００３２】
図４によれば、先ず、ＳＴＢ３３は、家庭内ネットワーク３内の通信トラフィックを検出するとともに、ホームルータ３１を制御してインターネット網２０と家庭内ネットワーク３間の通信トラフィックを検出する処理をする。ＳＴＢ３３は、ＣＭコンテンツデータを受信してホームサーバ３２に記憶することができるほど家庭内ネットワーク３の通信トラフィック及びインターネット網２０と家庭内ネットワーク３間の通信トラフィックが少ないか否かを判定し（ステップＳＴ１）、少ないと判定するまで繰り返し、少ないと判定したら次の処理に進む。
【００３３】
次に、ＳＴＢ３３は、補助素材配布サーバ２のマルチキャストグループに加わるようにホームルータ３１を制御する（ステップＳＴ２）。このとき、ホームルータ３１は、ＩＧＭＰ（internet group manegement protocol）に従って、補助素材配布サーバ２との間で情報の送受信をすることで、補助素材配布サーバ２のマルチキャストグループに加わる。
【００３４】
次に、ＳＴＢ３３は、補助素材配布サーバ２によりマルチキャストされているＣＭコンテンツデータを受信するようにホームルータ３１を制御する（ステップＳＴ３）。
【００３５】
次に、ＳＴＢ３３は、家庭内バス３Ａを介して受信したＣＭコンテンツデータを入力し、ＣＭコンテンツデータに含まれるユニークＩＤ情報を参照して、同じユニークＩＤ情報のＣＭコンテンツデータが存在するか否かを判定する（ステップＳＴ４）。ＳＴＢ３３は、同じユニークＩＤのＣＭコンテンツデータが存在すると判定したときにはステップＳＴ１に戻り、同じユニークＩＤのＣＭコンテンツデータが存在しないと判定したときには受信したＣＭコンテンツデータをホームサーバ３２に記録する処理をする（ステップＳＴ５）。
【００３６】
このような処理を行う放送システムでは、ＣＭコンテンツデータ含まれるユニークＩＤ情報を世界規模でユニークな値とすることで、同一内容のＣＭコンテンツデータを複数の補助素材配布サーバ２から取得する機会があっても、ユニークＩＤ情報によりＣＭコンテンツデータの同一性の判定をし、同一内容のＣＭコンテンツデータを記憶することを防止することができる。
【００３７】
つぎに、ホームサーバ３２に記憶したＣＭコンテンツデータを消去するときの処理手順について図５のフローチャートを参照して説明する。
【００３８】
ホームサーバ３２は、上述したように記録したＣＭコンテンツデータを消去するときには、先ず、現在のＣＭコンテンツデータの記憶量が、ＣＭコンテンツデータの記憶容量の所定値以上であるか否かを判定する（ステップＳＴ１１）。ホームサーバ３２は、所定値以上でないと判定したときにはこの処理を繰り返す。
【００３９】
一方、ホームサーバ３２は、所定値以上であると判定したときには、記憶されているＣＭコンテンツデータの記録日時情報、表示頻度情報を参照して消去対象を決定する（ステップＳＴ１２）。このとき、ホームサーバ３２は、記録日時が古いＣＭコンテンツデータや、表示頻度が低いＣＭコンテンツデータを消去対象として選択する。
【００４０】
次に、ホームサーバ３２は、決定したＣＭコンテンツデータの一部を消去する処理をする（ステップＳＴ１３）。
【００４１】
このような処理をするホームサーバ３２によれば、古いＣＭコンテンツデータから消去して比較的新しいＣＭコンテンツデータの情報価値を高めることができるとともに、表示頻度に応じた消去をして視聴者プロファイルに該当するＣＭコンテンツデータを残すので記憶しているＣＭコンテンツデータの情報価値を高めることができる。
【００４２】
つぎに、上述したような放送システムにおいて、ＳＴＢ３３によりＣＭコンテンツデータを差し替えるときの処理手順について図６のフローチャートを参照して説明する。なお、図６の説明では、例えば補助素材としてＣＭコンテンツデータを使用し、差し替え制御プログラムとしてＣＭ選択スクリプトを使用する一例について説明する。
【００４３】
図６によれば、先ず、ＳＴＢ３３は、放送局１から番組本体データを受信すると、放送局１からＣＭ選択スクリプトを受信したか否かを判定する（ステップＳＴ２１）。ＳＴＢ３３は、ＣＭ選択スクリプトを受信するまでこの処理を繰り返し、ＣＭ選択スクリプトを受信したと判定したときには、ＣＭ選択スクリプトを実行する（ステップＳＴ２２）。
【００４４】
次に、ＳＴＢ３３は、ホームサーバ３２から視聴者プロファイル情報を読み出し、ＣＭ選択スクリプトを実行して選択条件と視聴者プロファイル情報とを比較して、選択条件に該当した視聴者プロファイルが存在するか否かを判定することで、差し替え条件に該当する視聴者が存在するか否かを判定する（ステップＳＴ２３）。ＳＴＢ３３は、差し替え条件に該当する視聴者が存在しないと判定したときには放送波に含まれるＣＭコンテンツデータ（デフォルトＣＭ）を表示部３４に出力してステップＳＴ２１に戻る。
【００４５】
一方、ＳＴＢ３３は、差し替え条件に該当する視聴者が存在すると判定したときには、差し替え条件に該当するＣＭコンテンツデータのユニークＩＤ情報がホームサーバ３２に内に存在するか否かを判定することで、ホームサーバ３２にＣＭコンテンツデータが存在するか否かを判定する（ステップＳＴ２４）。ＳＴＢ３３は、ＣＭコンテンツデータが存在しないと判定したときには放送波に含まれるＣＭコンテンツデータ（デフォルトＣＭ）を表示部３４に出力してステップＳＴ２１に戻る。
【００４６】
一方、ＳＴＢ３３は、ＣＭコンテンツデータが存在すると判定したときにはホームサーバ３２に記憶されているＣＭコンテンツデータを読み出して、放送波に予め含まれるＣＭコンテンツデータと差し替える処理をして、表示部３４に出力してステップＳＴ２１に戻る。
【００４７】
つぎに、上述したような放送システムにおいて、複数の選択条件が存在するときのＣＭの差し替えるときの処理手順について図７及び図８のフローチャートを参照して説明する。
【００４８】
図７によれば、先ず、ＳＴＢ３３は、番組本体データを受信すると、放送局１からＣＭ選択スクリプトを受信したか否かを判定する（ステップＳＴ３１）。ＳＴＢ３３は、ＣＭ選択スクリプトを受信するまでこの処理を繰り返し、ＣＭ選択スクリプトを受信したと判定したときには、ＣＭ選択スクリプトを実行する。
【００４９】
次に、ＳＴＢ３３は、ＣＭ選択スクリプトに含まれる選択条件、視聴者プロファイル、ＣＭコンテンツデータのユニークＩＤを参照して差し替えるＣＭコンテンツデータを選択する判断をする（ステップＳＴ３２（１）〜ステップＳＴ３２（Ｎ））。
【００５０】
ステップＳＴ３２（１）〜ステップＳＴ３２（Ｎ）において、ＳＴＢ３３は、図８に示すように、先ず、ＣＭ選択スクリプトの上段からｎ番目の選択条件を解釈する（ステップＳＴ４１）。ここで、ｎは、選択条件が１〜Ｎまで存在するときにおける任意の数字である。
【００５１】
次に、ＳＴＢ３３は、視聴者プロファイル情報と解釈した選択条件とを比較して、ｎ番目の選択条件に該当する視聴者が存在するか否かを判定する（ステップＳＴ４２）。ＳＴＢ３３は、ｎ番目の選択条件に該当する視聴者が存在しないと判断したときにはステップＳＴ３２（Ｎ）での判断を「Ｎｏ」とする。
【００５２】
一方で、ＳＴＢ３３は、ステップＳＴ４２でｎ番目の選択条件に該当する視聴者が存在すると判断したときは、次にホームサーバー３２上にｎ番目の選択条件に該当するＣＭコンテンツデータがあるか否かを判断する（ステップＳＴ４３）。ＳＴＢ３３は、ホームサーバー３２上にｎ番目の選択条件に該当するＣＭコンテンツデータが存在すると判断したときにはＳＴ３２（Ｎ）での判断を「Ｙｅｓ」とする。また、ホームサーバー３２上にｎ番目の選択条件に該当するＣＭコンテンツデータが存在しないと判断したときにはＳＴ３２（Ｎ）での判断を「Ｎｏ」とする。
【００５３】
ステップＳＴ３２（１）〜ステップＳＴ３２（Ｎ）での判断において「Ｙｅｓ」と判定されたときには、ステップＳＴ３３（１）〜ステップＳＴ３３（Ｎ）に進み、１番目〜Ｎ番目の選択条件に該当するユニークＩＤ情報のＣＭコンテンツデータを表示部３４に出力する。
【００５４】
ステップＳＴ３２（１）〜ステップＳＴ３２（Ｎ）での全ての判断において「Ｎｏ」と判定されたときには、ステップＳＴ３５に進み、放送波に含まれるＣＭコンテンツデータ（デフォルトＣＭ）を表示部３４に出力してステップＳＴ３１に戻る。
【００５５】
このような処理をするＳＴＢ３３によれば、視聴者のプロファイルに応じてＣＭコンテンツデータの差し替えを行うことで、ＣＭコンテンツデータの提供側にとってはＣＭを提供したことによる効果を向上させることができる。
【００５６】
また、ＳＴＢ３３によれば、視聴者のプロファイルに応じてＣＭコンテンツデータの差し替えを行うことで、放送局１にとってはＣＭを提供の仕方に変化を与えることができることを利用して、新たなＣＭ需要を喚起して収入を向上させることができる。
【００５７】
更に、ＳＴＢ３３によれば、視聴者のプロファイルに応じてＣＭコンテンツデータの差し替えを行うことで、視聴者にとってはＣＭコンテンツデータの情報価値を高めることができる。
【００５８】
更にまた、ＳＴＢ３３によれば、ＣＭコンテンツデータを伝送するために、無線ネットワーク１０の周波数帯域を使用しないので、番組提供に使用する占有帯域を向上させることができる。
【００５９】
なお、上述した説明では、表示部３４に番組本体データ及び補助素材データを出力する一例について説明したが、表示部３４に代えて放音装置とし、例えばラジオ放送のように、音声ストリームの番組本体データ及び補助素材データを放音装置に出力しても良い。
【００６０】
【発明の効果】
本発明によれば、予め補助素材データを記憶手段に記憶し、放送データを出力するに際して、ユーザ情報に基づいて受信している放送データの一部を補助素材データに差し替えるので、補助素材を受信するために放送データとは異なる周波数帯域を使用する必要がなく周波数資源を有効利用するとともに、ユーザ情報を参照することで補助素材を選択して補助素材データの情報価値を高めることができる。
【図面の簡単な説明】
【図１】本発明を適用した放送システムを示すブロック図である。
【図２】視聴者プロファイルを登録するときに表示画面に表示する表示内容を説明するための図である。
【図３】差し替え制御プログラムの一例を説明するための図である。
【図４】本発明を適用した放送システムにおいて、ＣＭコンテンツデータを記録するときのＳＴＢの処理手順を示すフローチャートである。
【図５】本発明を適用した放送システムにおいて、ＣＭコンテンツデータを消去するときのＳＴＢの処理手順を示すフローチャートである。
【図６】本発明を適用した放送システムにおいて、ＣＭコンテンツデータを差し替えるときのＳＴＢの処理手順を示すフローチャートである。
【図７】本発明を適用した放送システムにおいて、複数の選択条件が存在するときのＣＭの差し替えるときのＳＴＢの処理手順を示すフローチャートである。
【図８】ＣＭ選択スクリプトの選択条件を参照してＣＭコンテンツデータを選択するＳＴＢの処理手順を示すフローチャートである。
【符号の説明】
１  放送局、２  補助素材配布サーバ、３  家庭内ネットワーク、１０  無線ネットワーク、２０  インターネット網、３１  ホームルータ、３２  ホームサーバ、３３  ＳＴＢ、３４  表示部
【図１】
0004501232.tif 000002
【図２】
0004501232.tif 000003
【図３】
0004501232.tif 000004
【図４】
0004501232.tif 000005
【図５】
0004501232.tif 000006
【図６】
0004501232.tif 000007
【図７】
0004501232.tif 000008
【図８】
0004501232.tif 000009